(57)【要約】【課題】  情報提供者は提供したい情報を容易にするため、情報収集者は収集したい情報を容易にするために情報を分類できる情報分類方法、販売システム、情報処理システム、情報処理システム、コンピュータープログラム、保険対応システムを提供する。【解決手段】  一の端末装置が情報提供者を識別する識別情報と、それに対応する販売価格情報を中央装置へ送信し、該中央装置は受信した識別情報と、それに対応する販売価格情報を情報ごとに記憶し、同一分類内で集計し、平均値かして情報収集者へ送信する。【選択図】  図２
2006228170.tif 000002
【特許請求の範囲】
【請求項１】
記憶手段を有する中央装置と、該中央装置と通信する１又は複数の端末装置とを用い、一の端末装置が提供しようとする情報（以下全ての情報とは有形及び無形を問わない）についての分類情報を、前記中央装置へ送信する。該中央装置は受信した分類情報に対応する識別情報を前記端末装置へ送信する。該端末装置で受信した識別情報を用いて先に送信した提供しようとする情報を分類する情報分類システム。
【請求項２】
記憶手段を有する中央装置と、該中央装置と通信する１又は複数の端末装置とを備え、一の端末装置が請求項１で分類された情報に対しての情報提供者を識別する識別情報と販売価格情報を前記中央装置へ送信する。該中央装置は受信した識別情報と販売価格情報を請求項１で分類された情報ごとに一定期間内で一時記憶する。該中央装置内で一定期間を過ぎた識別情報と販売価格情報は同一分類内に一定期間記憶され、その記憶された期間内で販売価格情報は同一分類内の他の販売価格情報と合算、集計され平均値化される。平均値化された数字は合算、集計された同一分類内の全ての情報に対する販売価格として一定期間、該中央装置へ記憶され、該中央装置と通信する１又は複数の端末装置へ、その期間内で送信される。一定期間記憶された平均値は同一分類内の新たな平均値化のために情報提供者の識別情報と販売価格情報が記憶されるごとに変動していくという特徴を持った販売システム。
【請求項３】
記憶手段を有する中央装置と、該中央装置と通信する１又は複数の端末装置とを備え、請求項２で記憶された平均値は、既に記憶されている平均値の算出元となった販売価格情報の数字と照合され、平均値より一定の基準値を超える販売価格情報に基づく情報だけを記憶装置に残し、情報収集者へは開示しない。その旨を該販売価格情報に対応する識別情報を基に情報提供者の端末装置へ送信し、記憶装置に残せる回数も制限することを特徴とする情報処理システム。
【請求項４】
記憶手段を有する中央装置と、該中央装置と通信する１又は複数の端末装置とを備え、一の端末装置が情報収集者を識別する識別情報、及び情報収集のための検索キーを前記中央装置へ送信する。該中央装置は受信した検索キーに対応する請求項１及び請求項２に基づく情報を前記端末装置へ送信する。該端末装置を介して収集した同一分類内情報の中から、必要な情報を収集する際に情報提供者を選択しなかった場合、同一分類内で請求項２における記憶された全ての販売価格情報を比較し、一番低い価格情報を提供している情報提供者の情報を該端末装置へ送信し、情報収集元となる情報提供者を確定するという情報処理システム。
【請求項５】
記憶手段を有する中央装置と、該中央装置と通信する１又は複数の端末装置とを備え、一の端末装置が情報収集者を識別する識別情報、及び情報収集のための検索キーを前記中央装置へ送信する。該中央装置は受信した検索キーに対応する請求項１及び請求項２に基づく情報を前記端末装置へ送信する。該端末装置で受信した情報の中から必要な情報を選択し該中央装置へ送信する。該中央装置で受信した情報が確定後、その情報に対応する情報提供者の販売価格情報と請求項２に基づいて記憶されている平均値と照合し、どちらか低い値を選択する。選択された値に対して一定の％を乗じた金額を情報提供者のデータベースへ記憶する。同時に情報収集者と情報提供者が同一の場合、情報収集者には請求項２で記憶された平均値と販売価格を照合し、高い値を前記端末装置へ送信するという情報処理システム。
【請求項６】
記憶手段を備え、情報収集者を識別する識別情報、提供する情報を識別する為の分類情報を受信し、受信した分類情報に対応する識別情報を外部へ送信する、情報収集者を識別する識別情報、分類された情報に対する販売価格を指定する販売価格情報を受信し、受信した販売価格情報を分類された情報ごとに集計し平均値化し、外部へ送信する情報処理装置であって、受信した分類情報を識別情報と照合し記憶する手段と、前記記憶手段に関連付けて販売価格を記憶させる手段と、受信した販売価格情報を分類内で集計し平均値化して記憶する手段と、記憶された平均値と販売価格情報とを比較照合して記憶する手段とを備えることを特徴とする情報処理装置。
【請求項７】
記憶手段を備えるコンピューターに、情報収集者を識別する識別情報、提供する情報を識別する為の分類情報を受信し、受信した分類情報に対応する識別情報を外部へ送信する、情報収集者を識別する識別情報、分類された情報に対する販売価格を指定する販売価格情報を受信し、受信した販売価格情報を分類された情報ごとに集計し平均値化し、外部へ送信するためのコンピュータープログラムであって、受信した分類情報を識別情報と照合し記憶させるステップと、コンピューターに前記記憶された識別情報に関連付けて販売価格を記憶させるステップと、コンピューターに受信した販売価格情報を分類内で集計し平均値化して記憶させるステップと、コンピューターに記憶された平均値と販売価格情報とを比較照合して記憶させるステップとを実行させることを特徴とするコンピュータープログラム。
【請求項８】
同システムの識別情報と販売価格から生まれる平均値というのは、平均値を算出するために多くの識別情報と販売価格がデータとして集められている事実から、一般における市場流通価格と同等の意味を持つ、例えば、この本発明の特徴である中古部品在庫管理完全体制を基に、自動車保険の特約条項に中古部品の使用を優先する。車輌保険に中古部品の使用を優先する。などの条項を設けることで大幅な保険金の支払い軽減が見込め、これは同時にユーザーにとっての保険料の軽減に直結する。このシステムは自動車保険の新しい形、例えば車の死亡保険や後遺障害保険なども作成することが出来る。また、自動車保険に限らず、他の全ての保険にも同様に対応できることを特徴とする保険対応システム。
【発明の詳細な説明】
【発明の詳細な説明】
【技術分野】
【０００１】  本発明は中央装置及び該中央装置と通信する端末装置を用いて情報を提供又は収集する情報分類システム、情報提供方法、情報収集方法、販売システム、情報収集システム、情報処理装置、並びにコンピュータープログラムに関する。
【背景技術】
【０００２】  従来の情報提供において、情報提供者（商用）はより認知度の高いポータルサイトへ出店して、自社商品をホームページ上に掲載していった。
【発明が解決しようとする課題】
【０００３】  いくら認知度の高いポータルサイトへ出店しても、認知度が高いが故に同業者の出店数も多くなり、価格のバラツキが目立つようになった。つまり、インターネットの最大の特徴とも言える画面上で価格比較が瞬時に行えるため最安値を表示している事業者にユーザーが集中するようになり、価格で勝負出来ない零細事業者は年々、オンラインショップから退出を余儀なくされているという問題がある。例えば中古自動車部品の場合、仕入れ元となる廃車は、ほとんどが仕入原価０円にも関わらず、販売価格が高額であること、又は在庫不足から仕入れたいときに仕入れることができないという問題もある。しかも情報収集者にとってもポータルサイトで情報収集しても常に同一事業者に行き着くようになるので探す楽しみというものが薄れてきて、サイト訪問回数の減少やサイト訪問者が特定されるという問題も多くなっている。
【０００４】  更に、自動車保険料は高騰する一方である。その最大の理由は修理代金の高騰である。つまり保険事故の場合、修理代金は保険会社が支払う為に補修で済むのを、あるいは入手するのに時間が掛かるという理由で中古部品を使わずに新品部品を使用しているからである。こういうことが保険会社の保険金支払いを多くして、ユーザーが支払う保険料アップにつながっているという問題がある。以上のようなことから情報提供者及び情報収集者の双方に利便性の高い情報収集システムが求められている。
【０００５】  本発明は以上のような事情に鑑みてなされたものであり、中央装置が端末装置から受信した分類情報を元に情報を識別し分類して前記端末装置へ送信、更に分類された情報に対応した販売価格を自ら設定し前記中央装置へ送信、該中央装置は受信した販売価格を平均値化し、その値を分類内の全ての情報に対する販売価格として記憶し、該中央装置と通信する全ての端末装置へ送信することで情報提供者にとっては不要な価格勝負を避けることができるようになり、また情報収集者にとっては価格比較以外の方法で情報を選択できるようになる情報分類システム、情報収集方法、情報収集システム、該情報収集システム、情報提供方法、販売システムを構成する中央装置として用いられる情報処理装置、及びコンピューターを前記情報処理装置として用いる為のコンピュータープログラムを提供することを目的とする。
【課題を解決する為の手段】
【０００６】  第１発明に係る情報分類システムは記憶手段を有する中央装置と、該中央装置と通信する１または複数の端末装置とを用い、一の端末装置が提供しようとする情報についての分類情報を前記中央装置へ送信し、該中央装置は受信した分類情報に対する識別情報を前記端末装置へ送信することで情報を分類する情報分類システムであって、分類情報は従来の各、情報ごとに存在する経験や勘というものを数値化したことを特徴としている。
【０００７】  第２の発明に係る販売システムは、記憶手段を有する中央装置と、該中央装置と通信する１または複数の端末装置とを備え、一の端末装置が情報提供者を識別する識別情報と、それに対応する販売価格情報を前記中央装置へ送信し、該中央装置は受信した識別情報と、それに対応する販売価格情報を情報ごとに記憶し、同一分類内で集計し、平均値化したものを同一分類内の全ての情報の販売価格とする販売システムであって、価格のバラツキのない、統一価格ではあるが、常に市場に合わせて価格変動が起こる特徴を持っている。
【０００８】  第３の発明に係る情報処理システムは、記憶手段を有する中央装置と、該中央装置と通信する１または複数の端末装置とを備え、第２の発明で記憶された平均値と平均値の算出基となった販売価格情報とを照合する情報処理システムであって平均値より一定の基準値を超える販売価格を不表示にできることを特徴とする。
【０００９】  第４の発明に係る情報処理システムは、記憶手段を有する中央装置と、該中央装置と通信する１または複数の端末装置とを備え、一の端末装置が情報収集者を識別する識別情報、及び情報収集のための検索キーを前記中央装置へ送信し、該中央装置は受信した検索キーに対応する請求項１及び請求項２に基づく情報を前記端末装置へ送信し、該端末装置を介して収集した同一分類内情報の中から、必要な情報を収集する際に情報提供者を選択しなかった場合、同一分類内で請求項２における記憶された全ての販売価格情報を比較し、一番低い価格情報を提供している情報提供者の情報を該端末装置へ送信し、情報収集元となる情報提供者を確定するという情報処理システムであって、平均値化された販売価格の中から一定の条件下ではあるが低い価格設定をした情報から優先的に該端末装置へ送信されることを特徴としている。
【００１０】  第５の発明係る情報処理システムは、記憶手段を有する中央装置と、該中央装置と通信する１又は複数の端末装置とを備え、一の端末装置が情報収集者を識別する識別情報、及び情報収集のための検索キーを前記中央装置へ送信し、該中央装置は受信した検索キーに対応する請求項１及び請求項２に基づく情報を前記端末装置へ送信する。該端末装置で受信した情報の中から必要な情報を選択し該中央装置へ送信し、該中央装置で受信した情報が確定後、その情報に対応する情報提供者の販売価格情報と請求項２に基づいて記憶されている平均値と照合し、どちらか低い値を選択し、選択された値に対して一定の％を乗じた金額を情報提供者のデータベースへ記憶する情報処理システムであって、同時に情報収集者と情報提供者が同一の場合、情報収集者には請求項２で記憶された平均値と販売価格を照合し、高い値を前記端末装置へ送信するという特徴を持っている。
【００１１】  第６の発明に係る、記憶手段を備え、情報収集者を識別する識別情報、提供する情報を識別する為の分類情報を受信し、受信した分類情報に対応する識別情報を外部へ送信し、情報収集者を識別する識別情報、分類された情報に対する販売価格を指定する販売価格情報を受信し、受信した販売価格情報を分類された情報ごとに集計し平均値化し、外部へ送信する情報処理装置であって、受信した分類情報を識別情報と照合し記憶する手段と、前記記憶手段に関連付けて販売価格を記憶させる手段と、受信した販売価格情報を分類内で集計し平均値化して記憶する手段と、記憶された平均値と販売価格情報とを比較照合して記憶する手段とを備えることを特徴とする。
【００１２】  記憶手段を備えるコンピューターに、情報収集者を識別する識別情報、提供する情報を識別する為の分類情報を受信し、受信した分類情報に対応する識別情報を外部へ送信する、情報収集者を識別する識別情報、分類された情報に対する販売価格を指定する販売価格情報を受信し、受信した販売価格情報を分類された情報ごとに集計し平均値化し、外部へ送信するためのコンピュータープログラムであって、受信した分類情報を識別情報と照合し記憶させるステップと、コンピューターに前記記憶された識別情報に関連付けて販売価格を記憶させるステップと、コンピューターに受信した販売価格情報を分類内で集計し平均値化して記憶させるステップと、コンピューターに記憶された平均値と販売価格情報とを比較照合して記憶させるステップとを実行させることを特徴とする。
【発明を実施するための最良の形態】
【００１３】  以下、本発明をその実施の形態を示す図面に基づいて詳述する。本実施の形態においては、情報処理装置としてサーバーコンピューターを例示し、端末装置としてパソコンを例示し、情報処理装置を中央装置として用い、該中央装置と端末装置とがインターネットを介して通信を行う場合を例示するが、これらに限定されるものではない。また、本実施の形態においては、情報収集者は、企業または個人であってもよく、情報提供者も企業または個人であってもよく、これらに限定されるものではない。【００１４】  図１において【１】
【２】は端末装置より提供する情報の分類情報を中央装置へ送信し、該中央装置は受信した分類情報に対する識別情報を前記端末装置へ送信する。該端末装置は受信した識別情報に対して販売価格情報を前記中央装置へ送信し、該中央装置は受信した販売価格情報を記憶し、分類ごとで集計し、平均値を記憶する。この平均値は該中央装置と通信する端末装置へ送信される。【００１５】
【３】は中古部品の販売価格が設定される例で、情報提供社Ａは識別評価▲１▼の商品を５０００円で、同じく識別評価▲２▼の商品を３５００円で端末装置から中央装置へ送信し、該中央装置は受信した販売価格の情報を識別評価ごとに分類、集計し、平均値を算出して、その平均値を全ての商品（識別評価内）の販売価格として記憶する。これがいわゆる販売相場価格となる。【００１６】
【４】は提供される情報の販売価格を中央装置が受信する時間に制限を設けている全体図で、▲１▼、▲２▼はそれが一定期間を置いて繰り返されていることを表す図である。これは常に平均値が変動することを意味する。
【発明の効果】
【００１７】  本発明の情報分類システム、販売システム、情報処理システム、情報処理システム、コンピュータープログラムによれば、情報処理装置を情報システムの中央装置として用い、該中央装置に、分類情報に基づいて識別した情報ごとの販売価格を集計し平均値化したものを記憶しておいたり、販売価格と平均値を照合して比較した結果を記憶しておいたりする。このため平均値は無謀な値になる可能性は低くなり、情報提供者及び情報収集者の双方にとってメリットがあるシステムとなる。
【００１８】  インターネット上に店舗出店する上で、価格が統一されることで集客効果の目安となるアクセスを均等にできる。
【００１９】  平均値化された販売価格の記憶期間を限定すること、記憶期間を過ぎたデータは一部を除いて削除されることなどから、常に新しい情報提供者の参入が見込めるので、常に平均値化された販売価格が変動する。これは情報収集者側から見ても、常に新鮮さを伴う効果が得られる。
【００２０】  本発明のシステムを自動車保険に活用した場合、保険会社が負担する修理代金の大幅な軽減が見込まれ、これは言い換えるとユーザーにとっての保険料の軽減に直結する。
【００２１】  指定した販売価格が平均値を一定の基準で超過すると、市場からの強制退場を余儀なくされるので販売価格の指定は慎重になる。このため平均値は相場価格に近い数字が見込め、零細企業にとっての市場参入への数字目標が明確になる。
【図面の簡単な説明】
【００２２】
【図１】本発明に係る情報提供・収集システムの構成を示す図である。
【図２】本発明に係る識別評価に基づく価格の平均化を示す図である。
【符号の説明】
【００３３】  １  中央装置  ２  端末装置  ３  ウェブサーバー  ４  ネットワークＩ／Ｆ  ５  操作部  ６  表示部  ７  ＣＰＵ  ８  ＲＯＭ  ９  ＲＡＭ１０  補助記憶部
【図１】
2006228170.tif 000003
【図２】
2006228170.tif 000004
2006228170.tif 000005
【手続補正書】
【提出日】平成17年5月24日(2005.5.24)
【手続補正２】
【補正対象書類名】図面
【補正対象項目名】図２
【補正方法】変更
【補正の内容】
【図２】
2006228170.tif 000006